(57)【要約】【課題】  本発明の目的は、耕耘作業と畝立て作業を簡単に切り替えることが可能な管理機を提供すること。【解決手段】  歩行型の管理機であって、耕耘を行う耕耘爪６と、後部に、上下方向に取り付けられている抵抗棒１５と、抵抗棒１５に連結された畝立器１６とを備え、畝立器１６は、抵抗棒１５を軸として開閉可能に設けられた、左右一対の畝立板１６１を有し、抵抗棒１５に、畝立板１６１の前端がヒンジ構造で連結されている、管理機である。【選択図】図６
2013176338.tif 000002
【特許請求の範囲】
【請求項１】
歩行型の管理機であって、
耕耘を行う耕耘爪と、
後部に、上下方向に取り付けられている抵抗棒と、
前記抵抗棒に連結された畝立器とを備え、
前記畝立器は、
前記抵抗棒を軸として開閉可能に設けられた、左右一対の畝立板を有する、管理機。
【請求項２】
前記抵抗棒に、前記畝立板の前端がヒンジ構造で連結されている、請求項１記載の管理機。
【請求項３】
前記畝立板の下端は、閉じた状態では、後上がりに傾斜している、請求項１記載の管理機。
【請求項４】
前記畝立板の下端の長さは、上端の長さよりも短い、請求項１記載の管理機。
【請求項５】
前記畝立器は、
前記左右の畝立板の開閉角度が複数種類に選択可能に構成されている、請求項１〜４のいずれかに記載の管理機。
【請求項６】
運搬時に接地し、耕耘時には退避位置に退避される、左右一対の尾輪体を備え、
前記左右一対の畝立板は、耕耘時に開いた状態で、前記尾輪体によって直接又は間接的に支持される、請求項１〜５のいずれかに記載の管理機。
【発明の詳細な説明】
【技術分野】
【０００１】
本発明は、耕耘作業等を行う管理機に関する。
【背景技術】
【０００２】
従来、畝立て用の畝立板が抵抗棒に着脱可能に構成された管理機が開示されている（例えば、特許文献１参照。）。
【先行技術文献】
【特許文献】
【０００３】
【特許文献１】特開２００９−１８３１５２号公報
【発明の概要】
【発明が解決しようとする課題】
【０００４】
上記特許文献１の構成の管理機では、耕耘作業を行う際には畝立板を抵抗棒から外し、畝立て作業を行う際には畝立板を抵抗棒に装着する必要があった。このとおり耕耘作業と畝立て作業を切り替える際、畝立板を着脱する必要があり、労力が必要となるので、煩わしかった。
【０００５】
本発明の目的は、上記従来の管理機の課題を考慮し、耕耘作業と畝立て作業を簡単に切り替えることが可能な管理機を提供することである。
【課題を解決するための手段】
【０００６】
上記目的を達成するべく、
第１の本発明は、
歩行型の管理機であって、
耕耘を行う耕耘爪と、
後部に、上下方向に取り付けられている抵抗棒と、
前記抵抗棒に連結された畝立器とを備え、
前記畝立器は、
前記抵抗棒を軸として開閉可能に設けられた、左右一対の畝立板を有する、管理機である。
【０００７】
これにより、耕耘作業時は畝立器を閉じ、畝立て作業時は畝立器を広げて作業を行うことが出来るので、作業の切り替えを簡単に行うことが出来る。
【０００８】
第２の本発明は、
前記抵抗棒に、前記畝立板の前端がヒンジ構造で連結されている、第１の本発明の管理機である。
【０００９】
これにより、畝立器をスムーズに開閉することが出来る。
【００１０】
第３の本発明は、
前記畝立板の下端は、閉じた状態では、後上がりに傾斜している、第１の本発明の管理機である。
【００１１】
これにより、接地面積を小さくすることが出来、耕耘作業時でも抵抗棒を土中に突入させやすくすることが出来る。
【００１２】
第４の本発明は、
前記畝立板の下端の長さは、上端の長さよりも短い、第１の本発明の管理機である。
【００１３】
これにより、接地面積を小さくすることが出来、耕耘作業時でも抵抗棒を土中に突入させやすくすることが出来る。
【００１４】
第５の本発明は、
前記畝立器は、
前記左右の畝立板の開閉角度が複数種類に選択可能に構成されている、第１〜４のいずれかの本発明の管理機である。
【００１５】
これにより、所望の大きさの畝を形成することが出来る。
【００１６】
第６の本発明は、
運搬時に接地し、耕耘時には退避位置に退避される、左右一対の尾輪体を備え、
前記左右一対の畝立板は、耕耘時に開いた状態で、前記尾輪体によって直接又は間接的に支持される、第１〜５のいずれかの本発明の管理機である。
【００１７】
これにより、畝立板を広げた姿勢を支持する目的の操作を少なくすることが出来る。
【発明の効果】
【００１８】
本発明によれば、耕耘作業と畝立て作業を簡単に切り替えることが可能な管理機を提供することが出来る。
【図面の簡単な説明】
【００１９】
【図１】本発明にかかる実施の形態１の管理機の耕耘作業時の左側面図
【図２】本発明にかかる実施の形態１の管理機の平面図
【図３】（ａ）本発明にかかる実施の形態１における管理機の尾輪体１２が接地位置に配置されている際の後部フレームの下端近傍を示す左側面図、（ｂ）本発明にかかる実施の形態１における管理機の尾輪体１２が退避位置に配置されている際の後部フレームの下端近傍を示す左側面図
【図４】（ａ）本発明にかかる実施の形態１における管理機の畝立て作業時の抵抗棒及び畝立器の状態を示す左側面図、（ｂ）本発明にかかる実施の形態１における管理機の耕耘作業時の抵抗棒及び畝立器の状態を示す左側面図
【図５（ａ）】本発明にかかる実施の形態１における管理機の耕耘作業時の尾輪体及び畝立器の背面図
【図５（ｂ）】本発明にかかる実施の形態１における管理機の耕耘作業から畝立て作業へと切り替える際の尾輪体及び畝立器の背面図
【図５（ｃ）】本発明にかかる実施の形態１における管理機の畝立て作業時の尾輪体及び畝立器の背面図
【図６】本発明にかかる実施の形態１における管理機の畝立て作業時の左側面図
【図７（ａ）】本発明にかかる実施の形態１の変形例における畝立器を示す平面図
【図７（ｂ）】本発明にかかる実施の形態１の変形例における畝立器のスライド支持部材を示す側面図
【図７（ｃ）】本発明にかかる実施の形態１の変形例における畝立器が最も開いた状態を示す平面図
【図７（ｄ）】本発明にかかる実施の形態１の変形例における畝立器が閉じた状態を示す平面図
【図８】本発明にかかる実施の形態１の変形例における畝立器の畝立板を開く角度を任意の角度に設定することが可能な構成を示す側面図
【図９】（ａ）本発明にかかる実施の形態１の管理機の耕耘作業時の左側面図、（ｂ）本発明にかかる実施の形態１の変形例における管理機の畝立て時の左側面図
【発明を実施するための形態】
【００２０】
以下に、本発明にかかる実施の形態の管理機について図面を参照しながら説明する。
【００２１】
（実施の形態１）
図１は、本発明にかかる実施の形態１の管理機の耕耘作業時の左側面図である。図２は、本発明にかかる実施の形態１の管理機の平面図である。
【００２２】
はじめに、本実施の形態の管理機の全体の構成について説明する。
【００２３】
図１に示すとおり、本実施の形態１の管理機は、歩行型の管理機であり、機体フレーム１と、機体フレーム１上に搭載されたエンジン２と、機体フレーム１の下部に配置されたミッションケース３と、エンジン２とミッションケース３の間に設けられた伝動ケース４とを備えている。そして、ミッションケース３の下部には、耕耘軸５が左右方向に配置され、耕耘軸５に耕耘爪６が配置されている。尚、図１中では、耕耘爪６の軌跡が二点鎖線Ｍで示されている。伝動ケース４内の後部には、入力軸７が配置されており、その前方には、エンジン軸８が配置されている。これら入力軸７とエンジン軸８の間には、ベルト９が捲き掛けられており、テンションクラッチプーリ１０の張圧によってベルト伝動可能に構成されている。又、ミッションケース３内では、入力軸７と耕耘軸５の間がチエン伝動される。
【００２４】
図２に示すとおり、ミッションケース３の上部から、右後側上方及び左後側上方へとハンドル１９が配置されている。左側のハンドル１９には、クラッチレバー１１（図１参照）が設けられており、クラッチレバー１１を操作することにより、テンションクラッチプーリ１０が動作し、ベルト伝動のオン・オフが切り替えられる。又、ハンドル１９の前側には、速度調節を行う目的の速度調節用レバー１４が設けられている。
【００２５】
ミッションケース３及び伝動ケース４の後側に設けられている後部フレーム１２の下部には、運搬する際に用いられる、左右一対の尾輪体１３が設けられている。
【００２６】
この尾輪体１３は、本実施の形態の管理機を運搬する際に用いるものであり、運搬の際には、尾輪１３１を地面に接地する位置に回動し、耕耘や畝立て作業の際には、上方の退避させる位置に回動することが可能に構成されている。
【００２７】
又、後部フレーム１２の後側には、板状の抵抗棒連結部１８が設けられており、抵抗棒連結部１８の後部には、上下方向に配置された抵抗棒１５が固定されている。そして、この抵抗棒１５には、畝立器１６が取り付けられており、畝立器１６は、図２に示すとおり、抵抗棒１５を中心にして開閉可能に設けられている（矢印ＣＤ参照）。
【００２８】
次に、尾輪体１３の構成及び保持構造について説明する。
【００２９】
尾輪体１３は、後部フレーム１２の下部に回動可能に連結され、湾曲している尾輪支持フレーム１３０と、尾輪支持フレーム１３０の先端に回転可能に設けられている尾輪１３１を有している。
【００３０】
尚、図１において接地位置に配置されている尾輪体１３は、二点鎖線Ｓで示されており、退避位置に配置されている尾輪体１３は、実線Ｔで示されている。
【００３１】
図３（ａ）は、本発明にかかる実施の形態１における管理機の尾輪体１３が接地位置に配置されている際の後部フレーム１２の下端近傍を示す左側面図である。図３（ｂ）は、本発明にかかる実施の形態１における管理機の尾輪体１３が退避位置に配置されている際の後部フレーム１２の下端近傍を示す左側面図である。
【００３２】
詳しく説明すると、尾輪体１３は、後部フレーム１２の下部の回動軸１３ａを中心に上下方向に回動する（図３中矢印ＡＢ参照）。尾輪支持フレーム１３０の後部フレーム１２側の端には、回動軸１３ａの隣に尾輪体側孔１３２が形成されている。図１のＳ及び図３（ａ）に示す状態に基づいて説明すると、尾輪支持フレーム１３０は、後方から前方に向かって湾曲して形成されており、尾輪体側孔１３２は、回動軸１３ａの後側に形成されている。この尾輪体側孔１３２は、後部フレーム１２よりも後側に形成されている。又、後部フレーム１２の回転軸１３ａの上部の位置にもフレーム側孔１２１が形成されている。
【００３３】
尾輪体１３を接地位置に保持する際、図３（ａ）に示すとおり、尾輪体１３を下方に回動させた状態で、尾輪体側孔１３２内に尾輪体固定ピン１３３が指し込まれる。これにより、尾輪体固定ピン１３３が後部フレーム１２の後端１２ｅに干渉するため、尾輪体１３が退避位置側に回動せず、接地位置に保持され、管理機の運搬を行うことが出来る。
【００３４】
一方、尾輪体１３を退避位置で保持する際、図３（ｂ）に示すとおり、この尾輪体側孔１３２とフレーム側孔１２１を合わせる位置に、尾輪支持フレーム１３０を回動し、その孔に尾輪体固定ピン１３３を挿入することにより、尾輪体１３を、その退避位置で保持することが出来る。
【００３５】
次に、畝立器１６の構成について説明する。
【００３６】
図４（ａ）は、本発明にかかる実施の形態１における管理機の畝立て作業時の抵抗棒１５及び畝立器１６の状態を示す左側面図である。図４（ｂ）は、本発明にかかる実施の形態１における管理機の耕耘作業時の抵抗棒１５及び畝立器１６の状態を示す左側面図である。
【００３７】
図４（ａ）、（ｂ）に示すとおり、抵抗棒連結部１８の後部は、円筒状に形成されており、その円筒１７内に抵抗棒１５が差し込まれている。この抵抗棒１５は、円筒１７より下側の部分が後方に傾斜して形成されている。そのため、抵抗棒１５の下端１５ａは、円筒１７よりも後側に位置している。
【００３８】
そして、円筒１７には、複数の円筒側孔１７１が形成されており、抵抗棒１５に形成されている孔を、いずれかの円筒側孔１７１に合わせて、抵抗棒高さ固定ピン１５１等を差し込むことによって、抵抗棒１５を所望の高さに固定することが出来る。円筒側孔１７１の位置を変更することによって、抵抗棒１５の高さを変更することが出来る。
【００３９】
この抵抗棒１５には、本実施の形態１の畝立器１６が取り付けられている。
【００４０】
図４（ａ）は、上述のとおり畝立て作業時の畝立器１６を示しており、畝立器１６が開いた状態が示されている。一方、図４（ｂ）は、耕耘作業時の畝立器１６を示しており、畝立器１６が閉じた状態が示されている。
【００４１】
図４（ａ）、（ｂ）に示すとおり、畝立器１６は、抵抗棒１５に取り付けられている左右一対の畝立板１６１（左側畝立板１６１Ｌ、右側畝立板１６１Ｒ）を有している。そして、左側畝立板１６１Ｌ及び右側畝立板１６１Ｒは、ヒンジ部１６ａによって抵抗棒１５に取り付けられており、抵抗棒１５を中心に開閉可能に構成されている。そして、図４（ａ）に示すとおり、左側畝立板１６１Ｌ及び右側畝立板１６１Ｒの外側の端には、軟質の樹脂プレート１６２が設けられている。
【００４２】
更に、左側畝立板１６１Ｌ及び右側畝立板１６１Ｒの外側の上端には、それぞれ上方に向かって突起部１６３が形成されている。更に、図４（ｂ）に示すとおり、畝立板１６１の下端１６１ａは、畝立器１６１を閉じた状態において、後側上方に向かって傾斜している。
【００４３】
次に、本実施の形態の管理機の耕耘作業から畝立て作業への切り替え動作について説明する。
【００４４】
上述したとおり、図１に示す管理機は、耕耘時の状態を示している。この状態において、抵抗棒１５を土中に差し込みながら、クラッチレバー１１を操作し、エンジン２からの動力を耕耘軸５に伝達して耕耘爪を回転させることによって、耕耘作業が行われる。尚、この際、尾輪体１３は上方の待機位置（図１中Ｔ参照）に配置されている。
【００４５】
図５（ａ）は、本発明にかかる実施の形態１における管理機の耕耘作業時の尾輪体１３及び畝立器１６の背面図である。図５（ｂ）は、本発明にかかる実施の形態１における管理機の耕耘作業から畝立て作業へと切り替える際の尾輪体１３及び畝立器１６の背面図である。図５（ｃ）は、本発明にかかる実施の形態１における管理機の畝立て作業時の尾輪体１３及び畝立器１６の背面図である。
【００４６】
図５（ａ）の状態から、尾輪体固定ピン１３３（図３（ｂ）参照）が引き抜かれ、尾輪体１３が待機位置から更に上方（矢印Ａ方向）に持ち上げられる。
【００４７】
そして、図５（ｂ）に示すとおり、左側畝立板１６１Ｌ、及び右側畝立板１６１Ｒが抵抗棒１５を中心にして左右に開かれる（矢印Ｄ方向）。その後、図５（ｃ）に示すとおり、待機位置から更に上方に持ち上げられていた尾輪体１３が待機位置へと降ろされ（矢印Ｂ参照）、尾輪体固定ピン１３３で固定される。このとおり尾輪体１３を待機位置から更に持ち上げるのは、畝立板１６１を前方に回動する際に、突起部１６３が尾輪体１３に干渉しない目的である。
【００４８】
図６は、本発明にかかる実施の形態１における管理機の畝立て作業時の左側面図である。上記図５（ａ）〜（ｃ）の切り替え動作によって、管理機を図１の状態の耕耘作業から、図６の状態の畝立て作業へと切り替えることが出来る。
【００４９】
畝立て作業時には、左右一対の畝立板１６１が開いた状態で、管理機を前方へ進めることにより、土が畝立板１６１の左右へと分けられて畝が形成される。その際、畝立板１６１は土によって押されているため、後方へと回動する方向に力が作用することになるが、尾輪１３１が突起部１６３に接触することにより、畝立板１６１が開いた状態が支持される（図５（ｃ）及び図６参照）。
【００５０】
又、図５（ａ）に示すとおり、耕耘作業時には、左右の尾輪１３１の間に、畝立板１６１の突起部１６３が配置されている。このため、畝立板１６１が矢印Ｄ方向に開こうとしても、突起部１６３が尾輪体１３１に干渉するため、畝立板１６１は開かない。このとおり尾輪１３１による簡易な構成によって、畝立板１６１が閉じた状態を支持出来る。
【００５１】
尾輪体１３によって畝立板１６１の畝立て状態を支持した状態で、畝立て作業を行うことが出来る。
【００５２】
尚、畝立て作業から耕耘作業に切り替える際には、図５（ａ）〜（ｃ）の逆の手順を行えばよい。
【００５３】
上述したとおり、畝立器１６を着脱することなく、耕耘作業時は畝立器１６を閉じ、畝立て作業時は広げて作業を行うことが出来るため、作業の切り替えを簡単に行うことが可能になる。
【００５４】
上記実施の形態では、図４（ｂ）に示すとおり左右の畝立板１６１の下端１６１ａは、後方に向かって上向きに傾斜して形成されている。このため、抵抗棒１５近傍の接地面積を小さくすることが出来、耕耘作業時でも抵抗棒１５を突入させやすい。更に、本実施の形態では、左右の畝立板１６１の下端１６１ａの長さは、上端１６１ｂよりも短くなっている。これら双方の構成を備えなくても良く、上向き傾斜の構成、若しくは下端１６１ａの長さが上端１６１ｂよりも短い構成のうち、どちらか一方の構成のみ用いられてもよい。要するに、耕耘作業時に抵抗棒１５近傍の接地面積を小さくすることが出来さえすればよい。
【００５５】
又、上記実施の形態では、尾輪１３１によって畝立板１６１の開いた状態を支持しているため、畝立板１６１を広げた姿勢を支持する目的の操作が少なくすむ。更に、尾輪体１３によって畝立板１６１の畝立て状態を支持しているため、畝立板１６１を閉じた姿勢を支持する目的の操作が少なくすむ。軟質の樹脂プレート１６２が配置されているため、きれいな畝を形成することが出来る。
【００５６】
尚、上記実施の形態で用いられた畝立器１６は、１つの角度でしか支持出来なかったが、複数の角度を選択して、その角度を支持出来る畝立器１６が用いられてもよい。図７（ａ）は、本発明にかかる実施の形態１の変形例における畝立器１６を示す平面図である。図７（ａ）に示す畝立器１６は、左側畝立板１６１Ｌと右側畝立板１６１Ｒの間に、棒状のスライド支持部材１６４が配置されており、図７（ｂ）に示すとおり、スライド支持部材１６４は、抵抗棒１５から後方に向かって延びて配置されている。尚、図７（ｂ）では、畝立板１６１は省略されている。
【００５７】
このスライド支持部材１６４には、長手方向に沿って長孔１６４ａが形成されており、その長孔１６４ａにスライド部材１６５が配置されている。そして、左側畝立板１６１Ｌ及び右側畝立板１６１Ｒのそれぞれの後側の面から突出している突出部１６６に、アーム１６７が回動自在に配置されている。この２本のアーム１６７の先端は、スライド部材１６５に連結されている。又、図７（ａ）、（ｂ）に示すとおり、スライド支持部材１６４には、長孔１６４ａが形成されている部分の側面に複数の位置決め貫通孔１６８が形成されている。
【００５８】
この複数の位置決め貫通孔１６８のうち所望の貫通孔に位置決めピン１６９を挿入することによって、位置決めピン１６９にスライド支持部材１６４が接触し、畝立板１６１の開く角度が決められる。
【００５９】
すなわち、図７（ｃ）に示すとおり、最も抵抗棒１５に近い側に形成されている位置決め貫通孔１６８（矢印Ｐ参照）に位置決めピン１６９を挿入すると、畝立板１６１の開く角度が最も大きくなる。一方、位置決めピン１６９を挿入する位置決め貫通孔１６８の位置を後側にするに従って、畝立板１６１の開く角度が小さくなる。そして、位置決めピン１６９をいずれの位置決め貫通孔１６８にも挿入しないとき、図７（ｄ）に示すとおり、畝立板１６１は閉じた状態となる。
【００６０】
このとおり、位置決め貫通孔１６８の数だけ、畝立板１６１の開く角度を調整することが出来る。
【００６１】
尚、位置決め貫通孔１６８を設けず、図８に示す締結ネジ１７０を用いることによって、２本のアーム１６７の位置を固定すれば、畝立板１６１を開く角度を任意の角度に設定することが出来る。
【００６２】
図７及び図８に示すとおり、耕耘機と別売りの畝立て器を使用しなくても、適切な大きさの畝を形成することが出来、又、耕耘作業状態と畝立て作業状態を容易に変更することが出来る。
【００６３】
又、本実施の形態では、畝立板１６１は、突起部１６３を介して尾輪体１３に間接的に支持されているが、突起部１６３を介さずに、尾輪体１３が畝立板１６に接触して、開いた状態を支持して構成されてもよい。
【００６４】
本実施の形態では、回動可能な尾輪体１３を設けたことにより、耕耘作業状態、畝立て作業状態、及び運搬移動状態を容易に切り替えられる。
【００６５】
又、本実施の形態では、図１及び図６において説明したとおり、耕耘作業時と畝立て作業時において、抵抗棒１５の方向を変更していないが、畝立て作業時には、抵抗棒１５の方向を反対方向に向けてもよい。詳しくは、図を参照して説明する。
【００６６】
図９（ａ）は、本発明にかかる実施の形態１における管理機の耕耘時の左側面図である。図９（ｂ）は、本発明にかかる実施の形態１における管理機の畝立て作業時の左側面図である。
【００６７】
図９（ａ）の耕耘時の状態では、抵抗棒１５の円筒１７より下側の部分は後方に向かって斜めに配置されている。そして、畝立て作業を行う際には、抵抗棒高さ固定ピン１５１が取り外され、抵抗棒１５が前後反対方向に向けられ、再度、抵抗棒高さ固定ピン１５１によって抵抗棒１５が円筒１７に固定される。
【００６８】
図９（ｂ）は、このとおり抵抗棒１５が前後反対方向に向けられた状態を示している。図９（ｂ）に示すとおり、抵抗棒１５の下端１５ａは、円筒１７よりも前側に位置することになる。尚、畝立板１６１を開く手順は、図５（ａ）〜（ｃ）と同様である。
【００６９】
図９（ｂ）のとおり、畝立て作業の際には、抵抗棒１５を耕耘爪に近づけることが出来る。すなわち、耕耘作業の際には、抵抗棒１５が後方に位置し、畝立て作業の際には、抵抗棒１５を前後反対方向に向けることによって、抵抗棒１５は耕耘爪に近づけることが出来る。
【００７０】
このとおり、耕耘作業の際には、抵抗棒１５は後方に配置されていた方が、耕耘深さを調整しやすく、畝立て作業の際には、畝立板１６１が耕耘爪の近くに配置されていた方が畝を形成しやすいので、図９（ａ）、（ｂ）に示すとおり、抵抗棒１５の下側を斜めに形成し、耕耘作業時と畝立て作業時で抵抗棒１５を反対方向に向ける方がより好ましい。
【産業上の利用可能性】
【００７１】
本発明の管理機は、耕耘作業と畝立て作業を簡単に切り替えることが可能な効果を有し、耕耘作業等を行う管理機等として有用である。
【符号の説明】
【００７２】
１  機体フレーム
２  エンジン
３  ミッションケース
４  伝動ケース
５  耕耘軸
６  耕耘爪
７  入力軸
８  エンジン軸
９  ベルト
１０  テンションクラッチプーリ
１１  クラッチレバー
１２  後部フレーム
１３  尾輪体
１４  速度調整用レバー
１５  抵抗棒
１６  畝立器
１７  円筒部
１８  抵抗棒連結部
【図１】
2013176338.tif 000003
【図２】
2013176338.tif 000004
【図３】
2013176338.tif 000005
【図４】
2013176338.tif 000006
【図５（ａ）】
2013176338.tif 000007
【図５（ｂ）】
2013176338.tif 000008
【図５（ｃ）】
2013176338.tif 000009
【図６】
2013176338.tif 000010
【図７（ａ）】
2013176338.tif 000011
【図７（ｂ）】
2013176338.tif 000012
【図７（ｃ）】
2013176338.tif 000013
【図７（ｄ）】
2013176338.tif 000014
【図８】
2013176338.tif 000015
【図９】
2013176338.tif 000016